(57)【要約】【課題】  内箱の収納率の向上が図れる吊り戸棚を提供する。【解決手段】  少なくとも上部及び下部が開放され、室内の高所に取付けられる外箱２と、該外箱２の内部にその下部から昇降機構３により昇降可能に収納される内箱４とを備えた吊り戸棚１であって、前記外箱２の上部に天板７を高さ調節可能に設け、該天板７の内部に前記昇降機構３を配設している。これにより、外箱内のスペースを内箱の収納のために有効に活用できて内箱の容積を大きくすることができ、内箱の収納率の向上が図れる。また、天板の高さを調節することにより、内箱の収納率を更に向上させることが可能となる。【選択図】          図１
2005304765.tif 000002
【特許請求の範囲】
【請求項１】
少なくとも上部及び下部が開放され、室内の高所に取付けられる外箱と、該外箱の内部にその下部から昇降機構により昇降可能に収納される内箱とを備えた吊り戸棚であって、前記外箱の上部に天板を高さ調節可能に設け、該天板の内部に前記昇降機構を配設したことを特徴とする吊り戸棚。
【発明の詳細な説明】
【技術分野】
【０００１】
本発明は、吊り戸棚に係り、特に外箱内にその下部から昇降可能に収納される内箱を備えた吊り戸棚に関する。
【背景技術】
【０００２】
従来のこの種の吊り戸棚は、少なくとも下部が開放され、室内の高所に取付けられる外箱と、この外箱の内部にその下部から昇降機構により昇降可能に収納される内箱とを備えて構成されている（例えば特開２０００１−１９９６９２号公報参照）。前記昇降機構は、外箱内の上部、すなわち外箱の上部に設けられた天板の下部に配設されている。具体的には、天板の下部の中央にモータにより駆動される巻取りプーリを設け、この巻取りプーリから左右に繰り出された２本のベルトを外箱内の固定プーリ及び内箱の動プーリに巻きかけた後、各ベルトの先端部を外箱内の上方に固定して構成されている。
【０００３】
【特許文献１】特開２０００１−１９９６９２号公報
【発明の開示】
【発明が解決しようとする課題】
【０００４】
しかしながら、前記吊り戸棚においては、外箱内における天板の下部に昇降機構を配設するためのスペースを確保する必要があるため、そのスペース分だけ内箱の収納スペースが犠牲になり、外箱の容積に対する内箱の容積の比率すなわち内箱の収納率（収納容積率）が５５％程度に低下する問題がある。なお、内箱の上部に乾燥機を装備した吊り戸棚の場合、乾燥機と昇降機構との干渉を避けるために収納率が更に低下する傾向がある。
【０００５】
本発明は、上記事情を考慮してなされたものであり、内箱の収納率の向上が図れる吊り戸棚を提供することを目的とする。
【課題を解決するための手段】
【０００６】
本発明は、少なくとも上部及び下部が開放され、室内の高所に取付けられる外箱と、該外箱の内部にその下部から昇降機構により昇降可能に収納される内箱とを備えた吊り戸棚であって、前記外箱の上部に天板を高さ調節可能に設け、該天板の内部に前記昇降機構を配設したことを特徴とする。
【発明の効果】
【０００７】
本発明によれば、少なくとも上部及び下部が開放され、室内の高所に取付けられる外箱と、該外箱の内部にその下部から昇降機構により昇降可能に収納される内箱とを備えた吊り戸棚であって、前記外箱の上部に天板を高さ調節可能に設け、該天板の内部に前記昇降機構を配設しているため、外箱内のスペースを内箱の収納のために有効に活用できて内箱の容積を大きくすることができ、内箱の収納率の向上が図れる。また、天板の高さを調節することにより、内箱の収納率を更に向上させることが可能となる。
【発明を実施するための最良の形態】
【０００８】
以下に、本発明を実施するための最良の形態について、添付図面を基に詳述する。図１は本発明に係る吊り戸棚の第１実施形態を示す図で、（ａ）は収納状態の斜視図、（ｂ）は下降した状態の斜視図、図２は同吊り戸棚の構成を概略的に示す斜視図、図３は内箱を概略的に示す斜視図、図４は同内箱の概略的分解斜視図、図５は同内箱を示す図で、（ａ）は縦断面図、（ｂ）は横断面図、図６は（ａ）は天板を上に設定した場合の図、（ｂ）は天板を下に設定した場合の図である。
【０００９】
これらの図において、１は昇降式の吊り戸棚で、この吊り戸棚１は、少なくとも上部及び下部が開放され、室内（例えばキッチン）の高所に取付けられる外箱２と、この外箱２の内部にその下部から昇降機構３により昇降可能に収納される戸棚本体である内箱４とを備えている。図示例では、外箱２の正面部も開放されており、この外箱２の両側部には、外箱２の正面部を覆う両開き式の左右一対の扉５，５がヒンジ（図示例ではスライドヒンジ）６を介して開閉自在に設けられている。前記外箱２の上部には中空の天板（駆動ケース）７が高さ調節可能に設けられ、この天板７の内部には前記昇降機構３が配設されている。
【００１０】
図示例では、外箱２は、上面部（上板部）２ａ、左右の側面部（側板部）２ｂ，２ｂ及び背面部（背板部）２ｃを有し、上面部２ａに方形の開口部８が設けられ、この開口部８に天板７が高さ調節可能に嵌合されている。天板７の左右両端部には付勢手段であるバネ９によって外側方へ突出するように付勢された位置決め係止部材である位置決めラッチ１０が設けられ、外箱２の両側面部２ｂ、２ｂの上方には天板７の上面が外箱２の上面（上面部２ａ外面）と略面一のときに位置決めラッチ１０が係合する係合受部である方形の係合孔部１１が設けられている。
【００１１】
また、位置決めラッチ１０を係合孔部１１から外し（離脱させ）、外箱２の両側面部２ｂ、２ｂの上端部に係止させることにより、天板７を外箱２の上面から天板７の上部が所定寸法ｄ、ｄ＝５０ｍｍ程度、突出した状態の高さ位置に設定できるようになっている。すなわち、天板７は、位置決めラッチ１０を係合孔部１１に係合させた低位置と、位置決めラッチ１０を外箱２の両側面部２ｂ、２ｂの上端部に係止させた高位置の何れか一方に室内の天井の高さに応じて選択的に設定（高さ調節）可能になっている。位置決めラッチ１０を係合孔部１１の外側からバネ９の付勢力に抗して押し込むことにより、位置決めラッチ１０を係合孔部１１から離脱させることができる。
【００１２】
前記昇降機構３は、天板７の厚さをできるだけ薄くし得る配置で天板７の内部に納められていることが好ましい。昇降機構３は、図２に示すように、天板７内の略中央部の後部寄りに設置された駆動部（例えば減速装置付電動モータ）１２と、この駆動部１２より左右に延出された駆動軸（回転軸）１３と、この駆動軸の両端部に設けられたベルト巻取部１４と、各ベルト巻取部１４から繰り出され、天板７内の前後方向略中央位置に設置されたプーリ（ベルト車）１５を経由して天板７の下面を貫通しながら下方に垂下され、内箱４の上部左右位置に先端部が固定された吊り部材であるベルト１８とから主に構成されている。内箱４の上部左右位置にはブラケット１６が設けられ、このブラケット１６にベルト１８の先端部がピン１７を介して固定されている。
【００１３】
また、天板７内には空気を内箱４内に送風して内箱４内を乾燥させるための乾燥機１９が昇降機構３と干渉しないようにして設けられている。乾燥機１９の吸引口は外箱２の一側面部内面と内箱４の一側面部外面との間の隙間に臨んで設けられ、外箱２の開放された下部から前記隙間を通って空気を吸い込むように構成されている。乾燥機１９の送風口は図３にも示すように内箱４の上面部に形成された吹込み口２０に臨んで設けられている。
【００１４】
前記天板７内には、昇降機構３の駆動部１２及び乾燥機１９を制御するための制御基盤２１及び電源基盤２２が設けられている。外箱２の両側面部内面には内箱２を昇降自在に案内するための案内部であるガイドレール２３が設けられ、内箱４の両外側面部外面にはガイドレール２３にスライド可能に係合して案内される被案内部である摺動子（図示省略）が設けられている。ガイドレール２３の下端部には摺動子を係止して内箱４の下降エンドを規定するためのストッパーが設けられていることが好ましい。
【００１５】
前記内箱７は、図３〜図５に示すように、例えばアルミ押出形材からなる左右一対ずつの正面縦枠２４及び背面縦枠２５と、これらの上端部及び下端部に取付けられる平面コ字状の正面上部横枠２６及び正面下部横枠２７と、これら正面上部横枠２６内及び正面下部横枠２７内にそれぞれ装着される上部面材２８及び下部面材２９と、正面縦枠２４及び背面縦枠２５に対して左右両側面及び背面を覆うように取付けられる横断面コ字状の側面部背面部一体面材３０と、正面上部横枠２６及び正面下部横枠２７に対してそれぞれ連結される背面上部横枠（上部背板）３１及び背面下部横枠（下部背板）３２とから主に構成されている。図中、３３は内箱４内に取付けられる水切り材である。
【００１６】
前記正面上部横枠２６及び正面下部横枠２７は、例えばアルミ押出形材にＶ字状の切り込み３４を入れて折り曲げる、いわゆるＶカット曲げ加工により形成されている。また、側面部背面部一体面材３０の両端縁部には横断面略Ｖ字状の返し部３０ａが曲げ加工により形成され、正面縦枠２４には返し部３０ａが弾性力で嵌合する嵌合溝２４ａが設けられている。正面上部横枠２６及び背面上部横枠３１には上部面材２８を装着するための装着溝３５が設けられ、正面下部横枠及２７び背面下部横枠３２には下部面材２９を装着するための装着溝３６が設けられている。
【００１７】
このようにして、内箱４の組立性の向上が図られている。また、側面部背面部一体面材３０を使用して従来二重であった側板を一重にしたので、内箱４の収納率の向上が図れると共に、側板と背板の一体化により組立性の向上及びコストの低減が図れる。なお、図５中、３７は左右の背面縦枠２５，２５間にビス止めにより取付けられた上部補強材であり、この上部補強材３７には前記ベルト取付け用のブラケット１６を固定するための裏板部材３８が一体的に設けられている。
【００１８】
以上の構成からなる吊り戸棚１によれば、少なくとも上部及び下部が開放され、室内の高所に取付けられる外箱２と、この外箱２の内部にその下部から昇降機構３により昇降可能に収納される内箱４とを備え、前記外箱２の上部に中空の天板７を高さ調節可能に設け、この天板７の内部に前記昇降機構３を配設しているため、外箱２内のスペースを内箱４の収納のために有効に活用できて内箱４の容積を大きくすることができ、内箱４の収納率の向上が図れる。また、天板７の高さを調節することにより、内箱４の収納率を更に向上させることが可能となる。
【００１９】
例えば図６の（ａ）は天井高さｈａが２３５０ｍｍ（新築建物の場合）、外箱高さｈｂが２３００ｍｍである場合を示し、同（ｂ）は天井高さｈａが２３００ｍｍ（既存建物の場合）、外箱高さｈｂが２３００ｍｍである場合を示している。天井高さが（ｂ）のように低い場合、位置決めラッチ１０を係合孔部１１に係合させることにより天板７を下の位置に設定（調節）する。この位置においても、昇降機構３と内箱４とが干渉することがなく、外箱２内のスペースを内箱４の収納のために有効に活用できて内箱４の容積を大きくすることができ、内箱４の収納率を７５％程度に向上させることができる。天上高さが（ａ）のように高い場合、位置決めラッチ１０を外箱２の両側面部２ｂ，２ｂの上端部に係止させることにより天板７を上の位置に設定する。これにより、天板７の上部が外箱２の上面より所定寸法ｄ（ｄ＝５０ｍｍ程度）だけ突出した状態の高さ位置に設定され、その分だけ外箱２の内部スペースが大きくなり、内箱４の容積を大きくすることができ、内箱４の収納率を８２％程度に更に向上させることができる。なお、扉５を支持しているヒンジ６がスライドヒンジである場合、スライドヒンジ６を外箱２の側面部内面に埋め込むことによりスライドヒンジ６の出幅を削減して内箱４の収納率を更に向上させることが可能である。
【００２０】
図７は本発明に係る吊り戸棚の第２実施形態を概略的に示す斜視図、図８は前倒れ防止ローラの斜視図、図９は前倒れ防止ストッパーの斜視図、図１０は内箱を下降した状態の側面図である。本第２実施形態において、前記第１実施形態と同一部分は同一符号を付して説明を省略する。本第２実施形態では、昇降機構３が、中空の天板（駆動ケース）７内の後部寄りに配置されたロールスクリーンの巻取軸４０と、この巻取軸４０の一端に接続されて巻取軸４０を回転駆動する駆動部（例えば減速装置付電動モータ）１２と、巻取軸４０の他端を回転自在に支持する軸受部４１と、巻取軸４０から下方に繰り出されて先端が内箱４に固定（止着）された吊り部材であるスクリーン（例えば布材）４２とから主に構成されている。天板７内の送風機等は図示省略されている。
【００２１】
スクリーン４２の先端には筒状部４３が形成され、この筒状部４３に取付バー４４が挿通され、この取付バー４４がスクリーン４２の先端と共に内箱４の背面部の上側にネジ止めにより固定されている（図１２参照）。内箱４の前倒れを防止するために、外箱２の両側面部の内面には前倒れ防止レール４５が上下方向に設けられ、内箱４の両側面部の外面には前記前倒れ防止レール４５に沿って走行する前倒れ防止ローラ４６が設けられている。また、外箱２の背面部２ｃの内面下部両側位置には内箱４の背面部外面に摺接して前倒れを防止する樹脂製の前倒れ防止ストッパー４７が設けられている。本第２実施形態の吊り戸棚においても、前記第１実施形態の吊り戸棚と同様の効果を奏することができる。また、昇降機構３としてロールスクリーンを使用し、一枚の幅のあるスクリーン４２の面で内箱４を吊持しているため、内箱４の左右のガタツキを防止でき、昇降の安定性を向上させることができる。
【００２２】
図１１は本発明に係る吊り戸棚の第３実施形態を概略的に示す斜視図、図１２はスクリーンの固定方法を示す斜視図、図１３は内箱を下降した状態の側面図である。本第３実施形態において、前記第１ないし第２実施形態と同一部分は同一符号を付して説明を省略する。本第３実施形態では、外箱２の背面部２ｃの内面に左右一対のガイドロッド４８を上下方向に配置している。ガイドロッド４８の下端は前記前倒れ防止ストッパー４７と同形状の摺動部一体ストッパー４９に固定され、ガイドロッド４８の上端はシューストッパー５０に固定されている。内箱４の背面部外面の上側にはガイドロッド４８に摺動自在に装着された左右一対の摺動シュー５１が設けられている。
【００２３】
これにより内箱４の前倒れが防止されていると共に、摺動シュー５１が昇降時に当接するシューストッパー５０及び摺動部一体ストッパー４９により内箱の上昇エンドと下降エンドが規定されている。本第３実施形態の吊り戸棚においても、前記第１ないし第２実施形態の吊り戸棚と同様の効果を奏することができる。なお、本第３実施形態では、ガイドロッド４８及び摺動シュー５１の他に前倒れ防止レール４５及び前倒れ防止ローラ４６を備えているが、ガイドロッド４８及び摺動シュー５１により内箱４の前倒れを防止できるので、必ずしも前倒れ防止レール４５及び前倒れ防止ローラ４６を備えている必要はない。
【００２４】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、前記実施例では外箱２の上面部２ａに方形の開口部８を設け、この開口部８に天板７を高さ調節可能に嵌合させているが、図１３に示すように外箱２の上面部及び前面部を開放し、その外箱２の上部開放部に天板７を高さ調節可能に設けても良い。また、天板は上下二段階に高さ調節可能とされているが、例えばネジ等で無段階に高さ調節可能とされていても良い。前記実施例では内箱を吊る吊り部材としてベルトやスクリーンが例示されているが、内箱を吊る手段としては、ワイヤであっても良い。前記実施例では外箱の前面部が開放され、その前面部に扉が設けられた例が示されているが、外箱の前面部は必ずしも開放されている必要はなく、また、扉が設けられていなくても良い。天板は中空であり、上部及び下部が閉塞されていることが好ましいが、上部が開放されていても良い。
【図面の簡単な説明】
【００２５】
【図１】本発明に係る吊り戸棚の第１実施形態を示す図で、（ａ）は収納状態の斜視図、（ｂ）は下降した状態の斜視図ある。
【図２】同吊り戸棚の構成を概略的に示す斜視図である。
【図３】内箱を概略的に示す斜視図である。
【図４】同内箱の概略的分解斜視図である。
【図５】同内箱を示す図で、（ａ）は縦断面図、（ｂ）は部分的横断面図である。
【図６】（ａ）は天板を上に設定した場合の図、（ｂ）は天板を下に設定した場合の図である。
【図７】本発明に係る吊り戸棚の第２実施形態を概略的に示す斜視図である。
【図８】前倒れ防止ローラの斜視図である。
【図９】前倒れ防止ストッパーの斜視図である。
【図１０】内箱を下降した状態の側面図である。
【図１１】本発明に係る吊り戸棚の第３実施形態を概略的に示す斜視図である。
【図１２】スクリーンの固定方法を示す斜視図である。
【図１３】内箱を下降した状態の側面図である。
【図１４】本発明の変形例を概略的に示す斜視図である。
【符号の説明】
【００２６】
１  吊り戸棚
２  外箱
３  昇降機構
４  内箱
７  天板
【図１】
2005304765.tif 000003
【図２】
2005304765.tif 000004
【図３】
2005304765.tif 000005
【図４】
2005304765.tif 000006
【図５】
2005304765.tif 000007
【図６】
2005304765.tif 000008
【図７】
2005304765.tif 000009
【図８】
2005304765.tif 000010
【図９】
2005304765.tif 000011
【図１０】
2005304765.tif 000012
【図１１】
2005304765.tif 000013
【図１２】
2005304765.tif 000014
【図１３】
2005304765.tif 000015
【図１４】
2005304765.tif 000016